(57)【要約】      （修正有）【課題】老人、身障者が座部の高さを容易に調整することができ、生産コストの低減化を図る昇降式椅子を提供すること。【解決手段】支持体１の一対の下部前支脚３と下部後支脚４に沿って昇降する上部前支脚１１と上部後支脚１２を肘掛け板１３により連結し、上部前支脚１１と上部後支脚１２を連結する水平杆に座部１６を載置した可動体１０と、可動体１０の高さを調整する昇降装置を備え、昇降装置は、軸着したカム板に形成した水平溝にロッドを進退自在に収容し、内端をカム板に連結し外端は上部前支脚及び上部後支脚内に挿入し、上部前支脚１１及び上部後支脚１２内にロッドの軸方向に対し横方向に出没する可動ラックを設け、可動ラックを下部前支脚３及び下部後支脚４の縦溝に対設した固定ラックに係合させ、ロッドを前進させて外端を可動ラックに穿設したロック孔に嵌入することにより、可動体１０を支持体１に固定し、座部１６を所望の高さに調整する。【選択図】図１
2012050721.tif 000002
【特許請求の範囲】
【請求項１】
逆Ｕ字型の台盤の両端部に下部前支脚を樹立し、台盤の後部に下部後支脚を樹立し、左右一対の下部前支脚と下部後支脚の上端より夫々内側面に開口部を有する縦溝を形成した支持体と、
支持体における左右一対の下部前支脚と下部後支脚の各縦溝に沿って昇降する左右一対の上部前支脚と上部後支脚の上端を逆Ｕ字型の肘掛け板により連結し、左右一対の上部前支脚と上部後支脚との下端を、左右方向の水平杆と前後方向の水平杆とよりなる連結部材により連結し、この連結部材上に座部を載置した可動体と、
可動体を昇降させて座部の高さを調整する昇降装置とを備えた昇降式椅子であって、
上記昇降装置は、連結部材における左右方向の水平杆の中央部上面に、前向きの操作レバーを備えたカム板を回動自在に軸着し、このカム板の左右及び後側の水平杆の上面に水平溝を形成し、各水平溝に夫々ロッドを進退自在に収容してその内端をカム板に連結し、外端は夫々上部前支脚及び上部後支脚内に挿入し、このロッドに対応させて上部前支脚及び上部後支脚内に、ロッドの軸方向に対して横方向に出没する可動ラックを設け、この可動ラックを、下部前支脚及び下部後支脚の縦溝の内側面に対設した上下に長い固定ラックに、バネにより付勢して係合させ、この係合状態において、ロッドを前進させてその外端を可動ラックに穿設したロック孔に嵌入することにより、可動体を支持体に固定し、座部を所望の高さに調整することを特徴とした昇降式椅子。
【発明の詳細な説明】
【技術分野】
【０００１】
本発明は、座部を座高に応じた高さに調整可能な昇降式椅子に関するものである。
【背景技術】
【０００２】
特開２００３−３３２４５号、実用新案登録第３００５６７９号の各公報に、座部の高さを調整することができる椅子が開示されている。
【０００３】
上記特開２００３−３３２４５号公報の昇降椅子は、座部と脚部を高さ規制が可能な左右一対のＸ字状のリンクよりなる昇降装置と、
後脚に取り付けられたラック部材に、座部に取り付けられ且つラック部材側に付勢されたロック部材と、このロック部材の操作レバーを備えた昇降操作装置とよりなり、
操作レバーを操作し、ロック部材をバネに抗し後退させてラック部材との係合を解除し、上記昇降装置により水平に保たれている座部を所定の高さに昇降させた後、操作レバーから手を離し、バネ力によりロック部材を前進させ、ラック部材に係合させて座部の高さを保持するものである。
即ち、この昇降椅子は、左右のＸ字状のリンク機構よりなる昇降装置により座部の水平状態を維持しながら、後部の昇降操作装置により座部の高さを調整するものであるから、構造が煩雑で、生産コストも高価となる。また座部を昇降させる場合、バネにより重くなっている昇降レバーから手を離すことができない。しかも操作レバーは、座部の後側に位置するため、椅子の後側に回って調整操作をしなければならない煩わしさがある。
【０００４】
上記実用新案登録第３００５６７９号の椅子は、下部の脚に対して上部の脚を昇降させ、上部の脚に固定した座部の高さを調整するものであるが、脚部の長さを調整する度に複数のボルトを脱着しなければならないので、操作が面倒であり、老人、身障者向きではない。
【先行技術文献】
【特許文献】
【０００５】
【特許文献１】特開２００３−３３２４５号公報
【特許文献２】実用新案登録第３０１３９６２号公報
【発明の概要】
【発明が解決しようとする課題】
【０００６】
本発明は、老人も、また身障者も座部の高さを容易に調整することができ、しかも生産コストの低減化を図ることができる昇降式椅子を提供することを目的としている。
【課題を解決するための手段】
【０００７】
本発明に係る請求項１の昇降式椅子は、逆Ｕ字型の台盤の両端部に下部前支脚を樹立し、台盤の後部に下部後支脚を樹立し、左右一対の下部前支脚と下部後支脚の上端より夫々内側面に開口部を有する縦溝を形成した支持体と、
支持体における左右一対の下部前支脚と下部後支脚の各縦溝に沿って昇降する左右一対の上部前支脚と上部後支脚の上端を逆Ｕ字型の肘掛け板により連結し、左右一対の上部前支脚と上部後支脚との下端を、左右方向の水平杆と前後方向の水平杆とよりなる連結部材により連結し、この連結部材上に座部を載置した可動体と、
可動体を昇降させて座部の高さを調整する昇降装置とを備えた昇降式椅子であって、
上記昇降装置は、連結部材における左右方向の水平杆の中央部上面に、前向きの操作レバーを備えたカム板を回動自在に軸着し、このカム板の左右及び後側の水平杆の上面に水平溝を形成し、各水平溝に夫々ロッドを進退自在に収容してその内端をカム板に連結し、外端は夫々上部前支脚及び上部後支脚内に挿入し、このロッドに対応させて上部前支脚及び上部後支脚内に、ロッドの軸方向に対して横方向に出没する可動ラックを設け、この可動ラックを、下部前支脚及び下部後支脚の縦溝の内側面に対設した上下に長い固定ラックに、バネにより付勢して係合させ、この係合状態において、ロッドを前進させてその外端を可動ラックに穿設したロック孔に嵌入することにより、可動体を支持体に固定し、座部を所望の高さに調整することを特徴としている。
【０００８】
可動体が支持体に固定された状態において、座部の下側に前向きに突出している操作レバーによりカム板を回動させ、弧状の偏心スリットが移動すると、各水平杆上の水平溝内に収容した３本のロッドが後退してその外端が可動ラックのロック孔から離脱し、可動ラックはロック状態を解除される。そこで可動体を昇降させると、バネにより付勢された可動ラックが固定ラックに接しながら摺動し、可動ラックが固定ラックに係合する度に、ロック孔がロッドの前端に合致する。座部が所望の高さに達したとき、操作レバーによりカム板を逆回動させ、弧状の偏心スリットを逆移動させると、各ロッドが前進してその外端がロック孔に嵌入し、可動ラックはロック状態となり、上部前支脚は下部前支脚に、上部後支脚は下部後支脚に夫々固定され、支持体と可動体が一体となって、座部が所望の高さに保持される。
【発明の効果】
【０００９】
本発明に係る請求項１の昇降式椅子は、座部の下側に前向きに突出した操作レバーを操作して、３本のロッドを同時に後退させた後、操作レバーから手を離し、両手を使って可動体を昇降させて座部の高さを調整するものであるから、調整操作が容易であり、老人用、身障者用としても最適である。
【００１０】
またこの昇降式椅子は、昇降装置により、可動体をバランス良く昇降させ、座部の高さを調整するここができるので、特開２００３−３３２４５号公報のような左右一対のＸ字状のリンク機構は不要である。そのため、外観がシンプルであり、また低コストで生産することができるという効果がある。
【図面の簡単な説明】
【００１１】
【図１】本発明に係る昇降式椅子の実施形態を示す斜視図である。
【図２】同上縦断側面図である。
【図３】同上実施形態における昇降装置の横断面図である。
【図４】同上実施形態における昇降装置の縦断面図である。
【図５】同上昇降装置におけるカム板とロッドの連係状態を示す縦断面図である。
【図６】同上昇降装置における可動ラックのロック状態を示す縦断面図である。
【図７】同上横断面図である。
【図８】同上昇降装置のロック状態の斜視図である。
【発明を実施するための形態】
【００１２】
以下、本発明に係る昇降式椅子の実施形態を図１〜図８を参照して詳細に説明する。
【００１３】
符号１は木製の支持体であり、逆Ｕ字型の台盤２の両端部に下部前支脚３を樹立し、台盤２の後部に下部後支脚４を樹立し、この左右一対の下部前支脚３と下部後支脚４とを、左右方向の水平杆5aと前後方向の水平杆5bとよりなる逆Ｔ字型の連結部材５により連結し、且つ左右一対の下部前支脚３と下部後支脚４の上端より、上記連結部材５の上方位置まで、内側面に開口部６を有する縦溝７を形成している。この縦溝７は、一対の下部前支脚３と下部後支脚４の内側面より形成した切欠き部８内に、左右の突縁9aにより上記開口部６を形成したアルミニュウム製チャンネル（以下アルミ型材という）９を嵌着して構成している。
【００１４】
符号１０は木製の可動体であり、上記支持体１における一対の下部前支脚３と下部後支脚４の各縦溝７に昇降自在に嵌入する左右一対の上部前支脚１１と上部後支脚１２の上端を平面逆Ｕ字型の肘掛け板１３により連結し、肘掛け板１３の後部及び上部後支脚１２には背凭れ１４を設けている。また上部前支脚１１と上部後支脚１２の下端は、左右方向の水平杆15a と前後方向の水平杆15b とよりなる逆Ｔ字型の連結部材１５により連結し、この左右方向の水平杆15a と前後方向の水平杆15b 上に座部１６を載置し、座部１６の下面に設けた二股状の止め金具１７を上記水平杆15a 、及び水平杆15b に着脱自在に嵌合している。
【００１５】
前記上部前支脚１１と上部後支脚１２は、夫々左右両側面に全長に亘ってスリット１８を設け、このスリット１８を前記縦溝７における左右の突縁9aに昇降自在に嵌合し、スリット１８より外側部11a 12a を縦溝７内に嵌入し、スリット１８より内側部11b 12b を下部前支脚３及び下部後支脚４の内側に突出させている。
【００１６】
符号１９は昇降装置であり、連結部材１５における水平杆15a の中央部に枢軸２０により回動自在に軸着し、且つ外周部には、後記する３本のロッドを進退させる弧状の偏心スリット２１、即ち先端が内側に傾斜した偏心スリット２１を形成し、更に前端には前向きの操作レバー２２を突設した円形のカム板２３と、
左右方向の水平杆15a と前後方向の水平杆15b の上面に、カム板２３を挟んで形成した左右の水平溝２４内、及び後側の水平溝２４内に、夫々進退自在に収容し、且つその内端に設けたピン２５をカム板２３の弧状の偏心スリット２１に係合させ、外端を上部前支脚１１、上部後支脚１２の貫通孔２６に挿入したロッド２７と、
下部前支脚３と下部後支脚４とのアルミ型材９の内側面に固定したジュラコン（ポリプラスチックス株式会社の登録商標）製の縦長の固定ラック２８と、
上部前支脚１１と上部後支脚１２の下部の切欠き２９内に嵌着したジュラコン製のケース３０内に、前記固定ラック２８の方向に出没自在に嵌合し、且つ圧縮バネ３１により付勢されて常に固定ラック２８に係合しているジュラコン製の可動ラック３２とよりなり、
上記可動ラック３２には、固定ラック２８との係合状態において、前記ロッド２７に合致するロック孔３３を形成している。このロック孔３３の開口端には、テーパー面３４を周設し、ロッド２７がロック孔３３に確実に嵌入するように構成している。
【００１７】
図１〜図４に示す木製の可動体１０が木製の支持体１に固定された状態において、座部１６の下側に前向きに突出している操作レバー２２を図３に鎖線で示す位置まで回動させ、カム板２４を回動させると、偏心スリット２１の移動に伴ない３本のロッド２７のピン２５が内側に引かれ、各ロッド２７が後退してその外端が可動ラック３２のロック孔３５から離脱する。このロック解除の状態において、肘掛け板１３、或いは座部１６を持って可動体１０を昇降させると、圧縮バネ３１により付勢された可動ラック３２が固定ラック２８に接しながら摺動し、固定ラック２８に係合する度に、ロック孔３３がロッド２７の前端に合致する。座部１６が所望の高さに達したとき、操作レバー２２を図３の実線の位置に戻し、カム板２３を逆回動させると、偏心スリット２１の移動に伴ない３本のロッド２７のピン２５が外側に押され、各ロッド２７が前進して外端がロック孔３３に嵌入し、可動ラック３２はロック状態となり、座部１６が所望の高さに保持される。
【００１８】
上記実施形態の昇降式椅子は、操作レバー２２によりロッド２７を後退させた後、操作レバー２２から手を離し、両手で可動体１０を昇降させることができ、また可動体１０は上部の前後支脚１１，１２のスリット１８が、下部の前後支脚３，４のアルミ型材９の左右の突縁9aに案内されて軽快に摺動するため、昇降操作が極めて容易であり、一般用の椅子として、老人や身障者用の椅子として使用し得るものである。
【符号の説明】
【００１９】
１        支持体
２        台  盤
３        下部前支脚
４        下部後支脚
５        連結部材
７        縦  溝
１０      可動体
１１      上部前支脚
１２      上部後支脚
１３      肘掛け板
１４      背凭れ
１５      連結部材
１６      座  部
１７      止め金具
１９      昇降装置
２０      枢  軸
２１      偏心スリット
２２      操作レバー
２３      カム板
２４      水平溝
２５      ピ  ン
２７      ロッド
２８      固定ラック
３０      ケース
３１      圧縮バネ
３２      可動ラック
３３      ロック孔
【図１】
2012050721.tif 000003
【図２】
2012050721.tif 000004
【図３】
2012050721.tif 000005
【図４】
2012050721.tif 000006
【図５】
2012050721.tif 000007
【図６】
2012050721.tif 000008
【図７】
2012050721.tif 000009
【図８】
2012050721.tif 000010